(57)【特許請求の範囲】
【請求項１】
前面に開口を備えた断熱箱体と、この断熱箱体に回動自在に支えられ、前記開口を開閉自在に閉塞する断熱扉とを備えた冷却貯蔵庫において、断熱扉の下部側に、角度片を備えた取付板を介して複数の接合片を有するパッキンを取り付けることにより、外部から貯蔵庫内の底壁に至る部分がスロープであっても又はフラット面であっても前記パッキンの複数の接合片がスロープ又はフラット面に接合してシールすることを特徴とする冷却冷蔵庫。
【請求項２】
取付板の上下の角度片は、一方が直角であり、他方が鈍角である請求項１に記載の冷却冷蔵庫。
【発明の詳細な説明】
【０００１】
【発明の属する技術分野】
本発明は、断熱箱体内の貯蔵庫に対し、商品等を積載した台車（カート）をそのまま出入庫可能としたいわゆるカートインタイプの冷却貯蔵庫に関するものである。
【０００２】
【従来の技術】
従来のカートインタイプの冷却貯蔵庫を示せば、図４の図（Ａ）〜図（Ｄ）の通りである。すなわち、断熱箱体１の前面には開口２が形成されており、該開口２に観音開き状に回動自在な断熱扉３が取り付けられている。そして、貯蔵庫４内に、商品等を積載した台車（図示せず）をそのまま出入庫できるように、外部から貯蔵庫３内の底壁５に至る間にスロープ６又はフラット面７（図５参照）等が形成されている。従って、スロープ６又はフラット面７を形成する関係上、前記断熱扉３の下端面は、その開閉動作に際してスロープ６又はフラット面７との干渉を避けるために、貯蔵庫３内の底壁５よりも上方に位置しており、当該底壁５と断熱扉３の下端面３ｂとの間には開口２の一部が閉塞されないで残っている。そのため、通常はシート状のゴムパッキン８によって貯蔵庫３内の冷気が外部へ逃げないようにシールしている。従来のパッキン８は、図５の図（Ａ）及び図（Ｂ）に示すように、断熱扉３の貯蔵庫側の面３ａと下端面３ｂとの間に跨がって湾曲状に形成された中間部９を有し、調整螺子１０によって取り付けられている。断熱扉３が閉塞された状態では、パッキン８の湾曲状中間部９がスロープ６又はフラット面７に接合し、シールする。
【０００３】
【発明が解決しようとする課題】
ところが、前記従来のパッキン８の取付構造では、湾曲状の中間部９の撓み状態によってシール性能が影響を受けるため、断熱扉３の開閉具合をみてその都度調整螺子１０を介して微調整することが必要であり、煩わしい作業となっていた。また湾曲状の中間部９は、スロープ６又はフラット面７との接触面積及び接触抵抗が大きく、調整が困難であり、断熱扉３の開閉操作が重たくなるという欠点と、シール性が悪いという欠点があった。
【０００４】
【課題を解決するための手段】
本発明は従来の前記課題に鑑みてこれを改良したものであって、開閉操作がし易く、シール性にも優れたパッキンの取付構造を有する冷却貯蔵庫を提供せんとするものであり、本発明が採用した請求項１の手段は、前面に開口を備えた断熱箱体と、この断熱箱体に回動自在に支えられ、前記開口を開閉自在に閉塞する断熱扉とを備えた冷却貯蔵庫において、断熱扉の下部側に、角度片を備えた取付板を介して複数の接合片を有するパッキンを取り付けることにより、外部から貯蔵庫内の底壁に至る部分がスロープであっても又はフラット面であっても前記パッキンの複数の接合片がスロープ又はフラット面に接合してシールすることを特徴とする冷却冷蔵庫である。この発明では、取付板の角度片をスロープの場合とフラット面との場合に調整することで、パッキンの複数の接合片がスロープ又はフラット面にそれぞれ密着し、貯蔵庫内の冷気が外部へ漏出することがない。また、パッキンのスロープ又はフラット面との接合が、断熱扉の開閉に支障を来す程の抵抗となることがなく、スムーズな開閉が可能である。また、本発明が採用した請求項２の手段は、取付板の上下の角度片は、一方が直角であり、他方が鈍角であれば、その上下を反転させることにより、一方をスロープ用として他方をフラット面用として共用することが可能である。
【０００５】
【発明の実施の形態】
以下に、本発明の構成を図面に示す発明の実施の形態に基づいて説明すると次の通りである。なお、従来の場合と同一符号は同一部材である。図１は本発明の一実施の形態に係るものであり、図（Ａ）はスロープ６の場合の部分縦断面図、図（Ｂ）はフラット面７の場合の部分縦断面図である。この実施の形態では、図２の図（Ａ）に示す断面コ字状のパッキン１１を、図３に示す取付板１２を介して断熱扉３の下部側の内側面へ取り付けるようにしている。パッキン１１は、断面コ字状の二つの解放された片がスロープ６又はフラット面７へ接合する接合片１１ａ，１１ｂとなっている。また取付板１２は、パッキン１１の接合片１１ａ及び１１ｂによって囲まれた内側の凹部１３へ嵌合できる大きさの断面コ字状のステンレス等の金属板又は合成樹脂板であり、直角の角度片１２ａと鈍角の角度片１２ｂとを有している。
【０００６】
而して、外部から貯蔵庫４内へ至るまでの台車（カート）の通る道筋が、図１の図（Ａ）に示すように、スロープ６である場合は、取付板１２の鈍角な角度片１２ｂが上方に位置するように配置してこれをパッキン１１の凹部１３内へ装着し、調整螺子１０で断熱扉３の下部側の内側面へ取り付ければよい。これにより、パッキン１１の二つの接合片１１ａ及び１１ｂはスロープ６の傾斜面に応じてその下端面の高さが異なり、それぞれの接合片１１ａ及び１１ｂが同じ力でスロープ６の傾斜面と接合して密着し、貯蔵庫４内の冷気が外部へ漏出するのをシールする。
【０００７】
一方、外部から貯蔵庫４内へ至るまでの台車（カート）の通る道筋が、図１の図（Ｂ）に示すように、フラット面７である場合は、取付板１２の直角な角度片１２ａが上方に位置するように配置してこれをパッキン１１の凹部１３内へ装着し、調整螺子１０で断熱扉３の下部側の内側面へ取り付ければよい。これにより、パッキン１１の二つの接合片１１ａ及び１１ｂはフラット面７に前後して同じ力で密着接合し、貯蔵庫４内の冷気が外部へ漏出するのをシールする。
【０００８】
このように、この実施の形態に係るパッキン１１は、取付板１２の二つの角度片１２ａ及び１２ｂの上下の向きを調整するだけで、スロープ６又はフラット面７に対応することが可能であり、スロープ６又はフラット面７のそれぞれに専用のパッキン及び取付板を準備する必要がなく、便利である。なお、取付板１２は、図３の図（Ｂ）に示すように、スロープ用の鈍角な角度片１４ａのみが形成された取付板１４と、フラット面用の直角な角度片１５ａのみが形成された取付板１５とを準備してそれぞれを別個に使い分けるようにすることも可能である。
【０００９】
またパッキン１１も前記実施の形態のものに限定されるものではなく、例えば図２の図（Ｂ）〜図（Ｄ）に示すような変形例が考えられる。図（Ｂ）に示す変形例は、接合片１１ａと１１ｂとの間にもう一つ別の接合片１１ｃを追加形成し、シール性を向上させたものである。また図（Ｃ）に示す変形例は、接合片１１ａの下部側を更に二つの接合片１６ａ及び１６ｂに分岐して形成したものである。更に、図（Ｄ）に示す変形例は、接合片１６ａ及び１６ｂの途中を連結片１７で連結し、接合片１６ａ及び１６ｂの下端面がスロープ６又はフラット面７と接合したときの強度を確保し、確実な密着によるシール性を確保せんとするものである。なお、図（Ｃ）及び図（Ｄ）に示す変形例では、分岐した二つの接合片１６ａ及び１６ｂの分岐点の部分が支点となって左右に容易に動くことができ、スロープ６やフラット面７に馴染み易くなるという利点もある。更に、これらの図（Ｂ）〜図（Ｄ）に示す場合は、接合片の数が三つであり、二つの場合よりも貯蔵庫内と外部との間の断熱性に優れている。
【００１０】
【発明の効果】
以上説明したように本発明にあっては、前面に開口を備えた断熱箱体と、この断熱箱体に回動自在に支えられ、前記開口を開閉自在に閉塞する断熱扉とを備えた冷却貯蔵庫において、断熱扉の下部側に、角度片を備えた取付板を介して複数の接合片を有するパッキンを取り付けることにより、外部から貯蔵庫内の底壁に至る部分がスロープであっても又はフラット面であっても前記パッキンの複数の接合片がスロープ又はフラット面に接合してシールするようにしたから、取付板の角度片をスロープの場合とフラット面との場合に調整するだけで、パッキンの複数の接合片がスロープ又はフラット面にそれぞれ密着し、貯蔵庫内の冷気が外部へ漏出することがない。また、パッキンのスロープ又はフラット面と接合する接合片は、断熱扉の開閉に支障を来す程の抵抗となることがなく、スムーズな開閉が可能である。
【図面の簡単な説明】
【図１】本発明の一実施の形態に係る冷却貯蔵庫の一部を示すものであり、図（Ａ）はスロープの場合の縦断面図、図（Ｂ）はフラット面の場合の縦断面図である。
【図２】図（Ａ）〜図（Ｄ）は本発明に係るパッキンの変形例を示す縦断面図である。
【図３】図（Ａ）〜図（Ｃ）は本発明に係る取付板の変形例を示す縦断面図である。
【図４】従来のカートインタイプの冷却貯蔵庫を示すものであり、図（Ａ）は平面図、図（Ｂ）は正面図、図（Ｃ）は縦断面側面図、図（Ｄ）は断熱扉と貯蔵庫底壁との間のパッキンを示す縦断面図である。
【図５】従来の冷却貯蔵庫の一部を示すものであり、図（Ａ）はスロープの場合の縦断面図、図（Ｂ）はフラット面の場合の縦断面図である。
【符号の説明】
３…断熱扉、４…貯蔵庫、５…底壁、６…スロープ、７…フラット面、１１…パッキン、１１ａ〜１１ｃ…接合片、１２…取付板、１２ａ…直角な角度片、１２ｂ…鈍角な角度片、１４…取付板、１４ａ…鈍角な角度片、１５…取付板、１５ａ…直角な角度片、１６ａ，１６ｂ…接合片
【図１】
0003834164.tif 000002
【図２】
0003834164.tif 000003
【図３】
0003834164.tif 000004
【図４】
0003834164.tif 000005
【図５】
0003834164.tif 000006